(57)【要約】【課題】頭髪を植毛した人形の頭部であって、顔面のゆがみや奥目を生じない活眼を有する人形の頭部を提供すること。【解決手段】頭髪２が植毛され、活眼４を有する軟質合成樹脂製の人形頭部１であって、左右の目位置の裏側に活眼４を保持する目袋３を一体に形成し、この目袋３を活眼４の外形よりも僅かに小さくて、頭部の顔面肉５とは独立するように形成するとともに、上記目袋４の底部７を、嵌め込まれた活眼４を止めるに必要な肉厚を有するように形成した。【選択図】        図３
2005176987.tif 000002
【特許請求の範囲】
【請求項１】
活眼を有する軟質合成樹脂製の人形頭部であって、左右の目位置の裏側に活眼を保持する目袋を一体に形成し、この目袋を活眼の外形よりも僅かに小さくて、頭部の顔面肉とは独立するように形成するとともに、上記目袋の底部を、嵌め込まれた活眼を止めるに必要な肉厚を有するように形成したことを特徴とする人形の頭部。
【発明の詳細な説明】
【技術分野】
【０００１】
本発明は、主に植毛された頭髪と活眼とを有する人形の頭部に関する。
【背景技術】
【０００２】
従来、人形の頭部に活眼を取り付ける方法は、一対の活眼を一体に形成して、前頭部の目孔へ裏側より取り付け、前頭部へ別体の後頭部を接合しているもの（例えば特許文献１参照）、あるいは、独立した活眼（例えば特許文献２参照）を一体成形した頭部に設けた目袋へ嵌め込むものが知られている（例えば特許文献１参照）。
【０００３】
ところが、特許文献１に記載のものは、頭部を硬質合成樹脂で成形するため、頭髪を植毛することができず、かつら様の頭髪を取り付けてあるから、髪を梳かす等の遊びができない不満があり、特許文献２に記載の活眼を軟質の合成樹脂製頭部へ取り付けたものは、頭部へ頭髪を植毛して髪を梳かす等の遊びを楽しむことはできるが、活眼を有する頭部は、顔の表面が変形して顔がゆがんでしまうことが多く、また、活眼が所定量よりも深く入り込み過ぎて奥目になってしまうという問題があり、歩留まりが悪くて商品化することはできなかった。
【０００４】
したがって、従来は上記問題がネックになり、植毛された頭髪と活眼とを兼ね備える人形の頭部は市場に供されていなかった。
【特許文献１】実公平５−２７９９８号
【特許文献２】実開昭５５−１７１０７９号
【発明の開示】
【発明が解決しようとする課題】
【０００５】
本発明は前記問題点を解明し、これを解消することによって、特に、頭髪を植毛した人形の頭部であって、顔面のゆがみや奥目を生じない活眼を有する人形の頭部を提供することをその課題とする。
【課題を解決するための手段】
【０００６】
前記課題を解決するため、本発明に係る人形の頭部は、活眼を有する軟質合成樹脂製の人形頭部であって、左右の目位置の裏側に活眼を保持する目袋を一体に形成し、この目袋を活眼の外形よりも僅かに小さくて、頭部の顔面肉とは独立するように形成するとともに、上記目袋の底部を、嵌め込まれた活眼を止めるに必要な肉厚を有するように形成したことを特徴とする。
【発明の効果】
【０００７】
請求項１の発明によれば、頭髪を植毛した人形の頭部に活眼を取り付けた後は、人形の起倒により目が開閉するので、人形がよりリアルになるとともに、頭髪を櫛で梳かしたり、ブラシ掛けしたりする遊びを十分に楽しむことができる。
【０００８】
また、頭部の顔面肉とは独立するように形成したので、目袋の膨らみが顔面肉に影響してゆがみを生じることがない。
【０００９】
さらに、活眼を目袋に嵌めるだけで活眼を固定することができるので、取り付け作業が楽である。
【００１０】
しかも、眼袋に活眼を嵌め込んだとき、目袋の底部が活眼を所定の位置で確実に止めるため、活眼の嵌め込み過ぎが防止されて自然な活眼が得られる。
【発明を実施するための最良の形態】
【００１１】
以下に本発明に係る人形頭部に対する活眼の取り付け方法の実施形態を図面について説明する。
【００１２】
図１において符号１は人形の頭部を示す。この頭部１は、頭髪２の植毛に適した軟質の合成樹脂（例えば軟質塩化ビニル樹脂）により中空状に一体成形されたものである。そして、頭部１の目位置の裏側には、成形の際に目袋３が形成され、この目袋３に公知の活眼４が嵌め込まれ、人形を起倒させると目が開閉するようにしてある。
【００１３】
上記目袋３は、活眼４を嵌め込むだけで離脱しない取り付けができるように活眼４の外形寸法よりも僅かに小さくて、しかも、図２に示されるように、頭部１の顔面肉５とは独立するように頭部1と一体成形し、目袋３の前側には目の形をした目孔６を開口させ、後側は目袋３に嵌め込んだ活眼４の後面へ当って嵌め込みを規制する底部７に必要な厚さを有するように形成してある。
【００１４】
目袋３を、頭部１の顔面肉５とは独立するように成形し、目袋３の底部の肉厚を、嵌め込まれた活眼４の後面が底部に当ったときに確実に止められる程度の厚さにするのは、次の理由による。
【００１５】
すなわち、本発明者は、軟質の人形頭部に活眼を入れると、顔面のゆがみや奥目が生じる原因について研究した結果、その原因が次のようなものであることを突きとめた。まず、顔面のゆがみは、図５に示されるように、成形時に目袋１６が頭部１７の顔面肉１８と一体に成形されてしまうため、活眼１９をこれよりも小さめの目袋１６に嵌め込むと、目袋１６が膨らむことに起因する。目袋が膨らむと、それと一体の顔面肉が外側に押出されるから、顔がゆがむのである。また、奥目になる原因としては、成形時に目袋１６の底部２０が肉薄になってしまうことに起因する。このため活眼１９が目袋１６に入り込んできたときに、底部が活眼を止めることができないのである。
【００１６】
そこで、上記図２に示されるように、目袋３と頭部１の顔面肉５との間には空間部１４が形成され、目袋３と頭部１の顔面肉５とはこの空間部１４を介して独立するように成形するようにした。また、目袋３の底部７の肉厚が側部の肉厚に比べて薄肉とならないようにした。
【００１７】
上記条件を備える目袋３を有する頭部１を形成するには、頭部１と同じ形の粘土型を作って、この粘土型より石膏型を取り、この石膏型を基にしてワックス型を作り、このワックス型の目の位置に活眼と同じ形状寸法の引き物を加熱して押し込んで窪みを形成し、さらにこのワックス型に対して電鋳を行って公知の電鋳型を作成する。そして、この電鋳型
に原料樹脂を注入してローティション成形し、成形品として上記構成の頭部１を得るようにすればよい。なお、電鋳型で人形頭部１を成形した後、人形頭部１は収縮するから、成形された眼袋３は、活眼４の外形寸法よりも僅かに小さくなる。
【００１８】
なお、上記電鋳型は、人形頭部を成形してみて、目袋と顔面肉との間に空間部が形成されていること、および目袋の底部に十分な厚みの肉が形成されるかを確認しながら造ることが必要である。
【００１９】
目袋３に嵌め込まれる活眼４は、図３に示すように、円筒状の外套８の内部へ外套８の角度が変化すると重錘の作用により回転するように眼玉９を枢着したものであり、眼玉９は正面側に白眼１０と黒目１１と瞳１２が表示され、上側にはまつげ１３が設けられている。
【００２０】
頭部１に対する頭髪２の植毛処理は、人形頭部に活眼４を嵌め込む前でも嵌め込んだ後でもよい。
【００２１】
前記した人形の頭部に対して活眼を取り付けるにあたっては、図４に示されるように、軟質合成樹脂の頭部１における目位置の裏側に設けた目袋３の前側の目孔６から活眼４を入れ、その後端が目袋３の底部７に当るまで嵌め込むと、活眼４は所定の位置で止まり、そのまま格別の固定手段を用いることなく静止固定される。また、活眼４を嵌め込むと、目袋３は膨らむように変形するが、その変形は空間部１４が吸収するので、変形が顔面肉５に影響することはない。このため、活眼４を嵌め込んでも顔面にゆがみが生じることはない。したがって、頭髪２を植毛した人形の頭部１であって、活眼４を有するとともに、顔面のゆがみや奥目を生じない自然な形状の人形の頭部を得ることができる。
【００２２】
上記構成の人形頭部１を人形胴体に取り付けたときは、人形を起せば活眼４の眼玉９は瞳１２が眼孔６に合うように回転して、目が開いた状態となり、人形を倒せば瞳１２が目孔６に隠れて、まつげ１３が目孔３の下縁に接して、目を閉じた状態となり、単に目の位置に彩色により眼を描いたものに比べて立体的、動的であるから、リアル性が各段に向上する。しかも、頭髪２が植毛された頭部１は、頭髪２を櫛で梳かしたり、頭髪２にブラシを掛けたりする遊びも楽しむことができるものである。
【産業上の利用可能性】
【００２３】
必ずしも植毛した人形に限定されない。顔容の変化や奥目を生ずることなく人形の頭部へ容易に活眼を取り付ける人形に適用できる。
【図面の簡単な説明】
【００２４】
【図１】人形の頭部へ活眼を取り付けた状態を右半面は人形を起した状態で、左反面は倒した状態で示す正面図
【図２】頭部の目袋へ活眼を嵌め込む前の断面図。
【図３】活眼の斜視図。
【図４】頭部の目袋へ活眼を嵌め込んだ後の断面図。
【図５】失敗した人形の頭部の例の断面図である。
【符号の説明】
【００２５】
１  頭部
２  頭髪
３  目袋
４  活眼
５  顔面肉
６  目孔
【図１】
2005176987.tif 000003
【図２】
2005176987.tif 000004
【図３】
2005176987.tif 000005
【図４】
2005176987.tif 000006
【図５】
2005176987.tif 000007